(57)【特許請求の範囲】
【請求項１】
ユーザデータ記録領域を備える記録媒体に光源からの記録光によりほぼ一定の線速度で情報を記録する情報記録装置において、
前記記録媒体の所定の領域に所定の線速度で試し書きを行い、前記線速度における最適記録パワーを決定する試し書き手段と、
前記記録媒体に情報を記録する前に前記記録媒体の面内をアクセスしてサーボ信号乱れを検出する手段と、
該手段の検出結果によって記録速度の最適化を行う記録速度最適化手段と、
前記記録速度最適化手段による記録速度最適化の結果を外部へ通知する手段と、
前記記録媒体に対する情報の記録中に所定の記録状態目標値と前記記録媒体からの再生信号に応じた値とを比較し、この比較結果に応じて随時記録パワーを修正する記録パワー修正手段と、
該記録パワー修正手段によって記録パワーが前記光源の最大出力値に到達した場合に、外部へ通知し、記録速度を変更せずに記録を行うか、記録速度を減速させて記録を行うかを選択する手段とを備えたことを特徴とする情報記録装置。
【請求項２】
記録パワーが前記記録パワー修正手段によって前記光源の最大出力値に修正されて前記記録媒体に記録された記録済み部からの再生信号を評価する再生信号評価手段と、この再生信号評価手段の評価結果に基づいてその後の前記記録媒体の記録領域の記録条件を修正する記録条件修正手段とを備えたことを特徴とする請求項１記載の情報記録装置。
【発明の詳細な説明】
【０００１】
【発明の属する技術分野】
本発明は情報記録装置に関する。
【０００２】
【従来の技術】
コンパクトディスク（所謂ＣＤ）と呼ばれるディジタルディスクでは、内周から外周に向かって、一定の線密度で、スパイラル状のトラックが形成されている。また、情報の記録が可能なＣＤもＣＤ−Ｒ（ＣＤ−Ｒecordable）として知られており、ＣＤ−Ｒに情報の記録を行う場合も、ＣＤ−Ｒの内周から外周に向かってスパイラル状に形成されたトラック上に、一定線密度となるように情報の記録を行う。
【０００３】
このようなディスクは、線速度一定(ＣＬＶ：Ｃonstant Ｌinear Ｖelocity)方式で回転させながら情報を記録するのが普通である。このＣＬＶ方式でディスクに情報の記録を行う場合には、ディスクは、内周部で情報の記録を行う時ほど回転数を高くする必要があるので、記録線速度が高速になってくると回転させるのが困難になる。しかも、ディスクを回転させるモータのコストが高くなったり、騒音、振動が増えたり、その他のサーボシステムの設計も困難になってくる。
【０００４】
そこで、ディスクは、内周で情報の記録を行う時には回転数をあまり上げないかわりに、外周へいって情報の記録を行う時もあまり回転数を下げないようにする手法がとられる。この場合、記録線速度はディスクの外周にいくほど高くなる。また、ディスクを適当な半径位置でゾーンに区切って、そのゾーン内はＣＬＶ方式で情報の記録を行うことにし、ディスク上の外周側のゾーンほど高い線速度で情報の記録を行うＺＣＬＶ(Ｚone ＣＬＶ）方式という手法がある。また、ディスクを一定の回転数で回転させて情報の記録を行う（Ｃonstant Ａngular Ｖelocity:ＣＡＶ）方式という手法もある。ＣＡＶ方式では、当然ながらディスク上の外周側にいって情報の記録を行うほど記録線速度は速くなる。
【０００５】
また、ＺＣＬＶ方式でディスクに情報の記録を行う際に、ディスクの種類によって機械特性が異なる事を考慮して、そのディスクに対して最も高速に記録ができ、且つ、信頼性の高い記録ができるゾーン領域、および記録速度を決定する方法▲１▼が、記録速度の最適化方法として提案されている。
【０００６】
【発明が解決しようとする課題】
情報記録装置にて、ＺＣＬＶ方式であれＣＡＶ方式であれ、高速に情報をディスクに記録しようとした場合、情報記録装置で光源として使用しているレーザダイオードの出力パワーにも限界があるため、感度の悪いディスクを使用したときには記録パワーがレーザダイオードの最大出力値を越えるケースがある。また、ディスクの機械特性等の問題により高速記録時にディスク上の光スポットがトラックから外れるというトラック外れが起きる可能性がある。
【０００７】
この場合、そのディスクに対する記録速度を情報記録装置自身が判断して設定する場合、情報記録装置に情報の記録を行わせるためのライターソフト（ホストに搭載された書き込みソフトウエア）又はホストでユーザが設定した速度とは異なる記録速度で情報を記録することになるため、ユーザは情報記録装置に不具合が発生した等の勘違いを起こす可能性がある。そのとき、ユーザが設定した速度と異なる記録速度で情報を記録する理由をどのようにしてユーザに通知するかということが課題になってくる。
【０００８】
この課題を解決する手段として、上記方法▲１▼では、情報記録装置の最速記録速度での記録パワーがレーザダイオードの最大出力値を越えて設定された場合やディスクの機械特性が悪く高速記録に適していないと判断された場合は、最適化された記録速度をユーザに通知する仕組みが明らかにされている。
【０００９】
しかし、情報記録装置がサポートしている最速記録速度でディスクに記録できない場合（もちろんディスクに表記されている記録速度を情報記録装置がサポートしている場合）は、何故ユーザが設定した記録速度と異なる速度で記録することになったのか、その原因がディスクによるものであるか情報記録装置によるものであるのかをユーザに通知する必要があり、その通知手段をどうするのかということが課題になってくる。
【００１０】
本発明は、ユーザの設定した記録速度と実際の記録速度とが異なってもユーザの混乱を招かないようにでき、かつ、極力高速記録を実現でき良好な記録品質を確保できる情報記録装置を提供することを目的とする。
【００１１】
【課題を解決するための手段】
上記目的を達成するため、請求項１に係る発明は、ユーザデータ記録領域を備える記録媒体に光源からの記録光によりほぼ一定の線速度で情報を記録する情報記録装置において、前記記録媒体の所定の領域に所定の線速度で試し書きを行い、前記線速度における最適記録パワーを決定する試し書き手段と、前記記録媒体に情報を記録する前に前記記録媒体の面内をアクセスしてサーボ信号乱れを検出する手段と、該手段の検出結果によって記録速度の最適化を行う記録速度最適化手段と、前記記録速度最適化手段による記録速度最適化の結果を外部へ通知する手段と、前記記録媒体に対する情報の記録中に所定の記録状態目標値と前記記録媒体からの再生信号に応じた値とを比較し、この比較結果に応じて随時記録パワーを修正する記録パワー修正手段と、該記録パワー修正手段によって記録パワーが前記光源の最大出力値に到達した場合に、外部へ通知し、記録速度を変更せずに記録を行うか、記録速度を減速させて記録を行うかを選択する手段とを備えたものである。
【００１２】
請求項２に係る発明は、記録パワーが前記記録パワー修正手段によって前記光源の最大出力値に修正されて前記記録媒体に記録された記録済み部からの再生信号を評価する再生信号評価手段と、この再生信号評価手段の評価結果に基づいてその後の前記記録媒体の記録領域の記録条件を修正する記録条件修正手段とを備えたことを特徴とする請求項１記載の情報記録装置である。
【００１８】
【発明の実施の形態】
図１は本発明の実施形態１を示す。この実施形態１の情報記録装置におけるコントローラは、ＣＰＵ１１３が記録媒体としてのＲＯＭに格納されている制御プログラムを実行することで、ＣＰＵ１１３が本実施形態１の各構成部１０３〜１１２を制御して後述する処理を行わせる。記録媒体としてのディスク１０２は回転駆動手段としての回転モータ１０１によって回転駆動されて回転し、このモータ１０１は回転制御手段としての回転制御部１１１により制御される。
【００１９】
光学ヘッド１０３は、ディスク１０２の記録膜上に光源からの光ビームを光学系を介して集光させ、ディスク１０２の記録膜上に記録マークを形成する。また、光学ヘッド１０３は、駆動手段によりディスク１０２の半径方向に移動して、ディスク１０２に予め設けられた試し書き領域やユーザデータ領域にアクセスすることが可能である。
【００２０】
光学ヘッド１０３に搭載されている上記光源は一般的には半導体レーザ（以下ＬＤという）が用いられる。このＬＤは、ドライバ手段としてのＬＤドライバ１０４によって、光出力が記録パワー設定手段としての記録パワー設定部１０６から記録パワー修正手段としての記録パワー修正部１０７を介してＬＤドライバ１０４に入力される記録パワー指令Pwに応じた記録パワーとなる状態に、入力パルス信号wdata及び記録条件設定手段としての記録条件設定部１１０からのパルス信号Ｐulseにより変調される。ＬＤからのレーザ光は光学系を介してディスク１０２の記録膜上に集光され、ＬＤが記録パワー状態とスペースパワー状態の間で変調されることで、ディスク１０２の記録膜上には記録マークとそうでないところが形成されて情報が記録される。
【００２１】
情報の再生を行う時には、光学ヘッド１０３のＬＤはＬＤドライバ１０４によって駆動されて再生パワーのレーザ光を出射する。光学ヘッド１０３は、ＬＤからのレーザ光を光学系を介してディスク１０２の記録膜上に集光し、その反射光（もしくは透過光）を光学系を介して受光部で受光して記録膜上の記録マークの有無による反射率の差に応じた再生信号を得ることによりディスク１０２の記録膜から情報の再生を行う。
【００２２】
また、光学ヘッド１０３はディスク１０２の記録層から光学系を介して入射する反射光（もしくは透過光）を受光部のトラッキングエラー検出用受光素子（例えば２分割受光素子）で受光して該受光素子の各出力信号の差を求めることでトラックエラー（トラッキングエラー）信号を検出し、このトラックエラー信号によりサーボ部１１２が上記光学系に含まれる対物レンズを制御してトラッキング制御を行う。さらに、光学ヘッド１０３はディスク１０２の記録層から光学系を介して入射する反射光（もしくは透過光）を受光部のフォーカスエラー検出用受光素子（例えば２分割受光素子）で受光して該受光素子の各出力信号の差を求めることでフォーカスエラー信号を検出し、このフォーカスエラー信号によりサーボ部１１２が上記対物レンズを制御してフォーカス制御を行う。
【００２３】
本実施形態１では、ディスク１０２は、例えば図７に示すようにディスク１０２に記載されているアドレスに応じて４つのゾーン(zone)１〜４を設け、記録線速度を回転制御部１１１によるモータ１０１の制御で内周から各ゾーン１〜４毎に１２ｘ（ｘは１倍速の記録線速度）,１６x，２０x，２４xというように可変するＺＣＬＶ方式で情報の記録を行う。
【００２４】
次に、本実施形態１の情報記録装置の記録動作を図２に示す動作フローに基づいて説明する。
本実施形態１の情報記録装置は、ホストからＣＰＵ１１３に記録命令が入力されると、ディスク１０２の記録層に情報の記録を行う前に、ディスク１０２上のＰＣＡ（Ｐower  Ｃalibration  Ａrea）と呼ばれる試し書き領域においてＯＰＣ（Ｏptimum  Ｐower  Ｃalibration）を所定の基本線速度で行って最適な記録パワーを求める。このＯＰＣ実行時には、記録パワー設定部１０６は試し書き手段としての試し書き部１０５からの指令に基づいて、ディスク１０２上のＰＣＡの１ブロック毎に記録パワ−を増加させるように記録パワー指令Ｐwを変えながら設定し、ＬＤドライバ１０４が光学ヘッド１０３のＬＤを入力パルス信号wdata及び記録条件設定部１１０からのパルス信号Ｐulseにより変調することで、ＬＤから出射されるレーザ光のパワー（記録パワ−）を増加させながらディスク１０２上のＰＣＡの所定ブロック（例えば１５ブロック）分に所定の記録部（マーク）と未記録部（スペース）とからなるパターンの記録を行う。
【００２５】
まず、ステップ201では上述のようにディスク１０２上のＰＣＡの所定領域に記録パワーを複数段階に変えてながら所定のパターンを記録する。
ステップ202では、光学ヘッド１０３がディスク１０２上のＰＣＡの上記所定領域から所定のパターンを再生し、再生信号評価手段としての再生信号評価部１０９が光学ヘッド１０３よりの再生信号から公知の評価尺度値Ｂetaを求める。
この評価尺度値Ｂetaは、再生信号をＡＣ結合部を通して得られる交流成分の上下振幅の対称性に相当する。
【００２６】
図９は、記録パワーに応じた再生信号状態を示すもので、1)が適正な記録パワーによる再生信号状態を示し、2)が過大な記録パワーによる再生信号状態を示し、3)が記録パワー不足による再生信号状態を示す。図９に示す再生信号波形は下側が記録マークであり、記録パワーが適正な時に再生信号のデューティ（Ｄuty）が５０％であっても、記録パワーが過大になれば、マーク側が長く記録されるので、その方向（マーク側）に再生信号のデューティがずれる。再生信号をＡＣ結合部を通して得られる交流信号の上側振幅をａ、下側振幅をｂとし、
Ｂeta=(ａ−ｂ)／(ａ＋ｂ)
とする。従って、記録パワーが適正ならＢetaがほぼ０となり、記録パワーが過大ならＢetaが大きくなり、記録パワーが不足ならＢetaは小さくなる。
【００２７】
ステップ203では、ＣＰＵ１１３は再生信号評価部１０９で求めたＢetaが所定の目標値ＢetaTになる記録パワーＰw_opc[0]を求める。ＢetaTは０に近いが、ディスク１０２の記録膜によってはＢetaTが０であるのが最適でなく、ＢetaTはある所定の値が最適になるものがあるので、一般にはディスク１０２の種類ごとに異なる値にする。
このＰw_opc[0]は試し書きをした線速度での最適パワーであるので、ＣＰＵ１１３はゾーン１〜４の各記録線速度における最適記録パワーをPw_opc[0]をもとにした所定の演算により求める。
【００２８】
ステップ204では、ＣＰＵ１１３は、以下の式
Pw_opc[n]＝Pw_opc[0]*Kp[n]
でPw_opc[0]に所定係数Kp[n]を乗じてゾーン１〜４の各最適記録パワーPw_opc[n] (nはゾーン番号1,2,3,4）を計算し、これを記録パワー設定手段１０６に与える。
【００２９】
記録パワー設定手段１０６は、ＣＰＵ１１３から与えられたPw_opc[n]をゾーン１〜４の各最適記録パワーとして設定し、例えば本装置の最速記録速度である２４xの記録ゾーン4での最適記録パワーは
Pw_opc[4]=Pw_opc[0]*Kp[4]
として設定する。
【００３０】
ステップ205では、ＣＰＵ１１３は、ディスク１０２の各ゾーン１〜４に情報を記録する線速度でサーボチェック（Ｓervo  Ｃheck）を行う。具体的には、ＣＰＵ１１３は、ゾーン１には情報をＣＬＶ方式で記録する線速度１２xでサーボチェックを行い、ゾーン２には情報をＣＬＶ方式で記録する線速度１６xでサーボチェックを行い、ゾーン３には情報をＣＬＶ方式で記録する線速度２０xでサーボチェックを行い、ゾーン４には情報をＣＬＶ方式で記録する線速度２４xでサーボチェックを行う。
【００３１】
サーボ信号乱れ検出手段を兼ねるＣＰＵ１１３は、サーボ信号であるフォーカスエラー信号およびトラックエラー信号を監視し、それらの信号振幅がある値以上になった場合にはサーボ追従性が悪いと判断することでサーボチェックを行う。ＣＰＵ１１３は、サーボチェックではサーボ信号乱れのレベルを３段階のレベル０、１、２に分けて収集する。レベル０はサーボ信号乱れのレベルが良く、レベル１はサーボ信号乱れのレベルが悪く、レベル２はサーボ信号乱れのレベルが非常に悪いとする。
【００３２】
ＣＰＵ１１３は、Ｕ１１３は、サーボチェックでレベル０を検出した時には記録線速度をそのままとし、サーボチェックでレベル1を検出した時には記録線速度を1段階落として制限し、レベル２を検出した時には記録線速度を２段階落として制限する。サーボ部１１２にはサーボ信号であるフォーカスエラー信号およびトラックエラー信号を監視するサーボ信号監視機能が含まれており、ＣＰＵ１１３はサーボ部１１２からサーボ信号であるフォーカスエラー信号およびトラックエラー信号を適時に読み取ることによって、サーボ信号であるフォーカスエラー信号およびトラックエラー信号を監視する。
【００３３】
ステップ206では、ＣＰＵ１１３は２４xでの記録パワーが所定の上限値Ｐw_th（Ｐw_th＝Ｐw_Max×0.95 ；Ｐw_Max:ＬＤの最大出力パワー）を超えて設定されたかどうチェックしてその結果（２４xでの記録パワーのチェック結果）と、各ゾーン１〜４でのサーボチェックの結果をホスト（若しくはライターソフト）に返す。ホスト若しくはライターソフトは、ダイヤログボックスなどによってＣＰＵ１１３から返された内容（２４xでの記録パワーのチェック結果、サーボチェックの結果）をメッセージとして表示してユーザに通知する。
【００３４】
この実施形態１によれば、記録媒体としてのディスク１０２に光源からの記録光によりほぼ一定の線速度で情報を記録する情報記録装置において、上記ディスク１０２の所定の領域に所定の基本線速度で試し書きを行い、上記基本速度における最適記録パワーを決定する試し書き手段と、上記ディスク１０３に情報を記録する前に上記ディスク１０３の面内をアクセスしてサーボ信号乱れ検出手段の検出結果によって記録速度の最適化を行う記録速度最適化手段としてのＣＰＵ１１３と、この記録速度最適化手段による記録速度最適化の結果をユーザに知らせるべく外部へ通知する手段としてのＣＰＵ１１３とを備えたので、ユーザは予め記録前に記録速度の最適化の内容を具体的に知ることができ、その結果、ユーザの設定した記録速度と実際の記録速度が異なるケースが発生してもユーザは情報記録装置に不具合が発生した等の混乱を起さないで済み、しかも、ユーザはユーザマニュアル等からその時考えられる問題点や対応方法等の詳細を知ることができる。
【００３５】
また、実施形態１で用いた記録媒体としてのＲＯＭは、コンピュータを構成するＣＰＵ１１３に、記録媒体としてのディスク１０２に光源からの記録光によりほぼ一定の線速度で情報を記録する情報記録装置においてディスク１０２の所定の領域に所定の基本線速度で試し書きを行い、前記基本速度における最適記録パワーを決定する試し書き機能と、ディスク１０２に情報を記録する前にディスク１０２の面内をアクセスしてサーボ信号乱れ検出手段の検出結果によって記録速度の最適化を行う記録速度最適化機能と、この記録速度最適化機能による記録速度最適化の結果をユーザに知らせるべく外部へ通知する手段とを実現させるためのプログラムを記録したコンピュータ読み取り可能な記録媒体であるので、ユーザは予め記録前に記録速度の最適化の内容を具体的に知ることが可能となり、その結果、ユーザの設定した記録速度と実際の記録速度が異なるケースが発生してもユーザは情報記録装置に不具合が発生した等の混乱を起さないで済み、しかも、ユーザはユーザマニュアル等からその時考えられる問題点や対応方法等の詳細を知ることができる。
【００３６】
さらに、実施形態１で用いた情報記録方法は、記録媒体としてのディスク１０２にほぼ一定の線速度で情報を記録する情報記録方法において、ディスク１０２の所定の領域に所定の基本線速度で試し書きを行い、前記基本速度における最適記録パワーを決定する第１のステップと、ディスク１０２に情報を記録する前にディスク１０２の面内をアクセスしてサーボ信号乱れの検出結果によって記録速度の最適化を行う第２のステップと、この第２のステップによる記録速度最適化の結果の内容をユーザに知らせるべく外部へ通知する第３のステップとを有するので、ユーザは予め記録前に記録速度の最適化の内容を具体的に知ることができ、その結果、ユーザの設定した記録速度と実際の記録速度が異なるケースが発生してもユーザは情報記録装置に不具合が発生した等の混乱を起さないで済み、しかも、ユーザはユーザマニュアル等からその時考えられる問題点や対応方法等の詳細を知ることができる。
【００３７】
次に、本発明の実施形態２について説明する。この実施形態２では、上記実施形態１において、図２の動作フローの代りに図３の動作フローを実行する。図３におけるステップ301〜306は図２におけるステップ201〜206と同じである。ステップ307では、ＣＰＵ１１３は、ステップ305でゾーン４に情報の記録をＣＬＶ方式で行う時の記録速度でサーボチェックを行った結果、サーボチェックでＯＫとなった（サーボチェックでレベル０を検出した）場合(ステップ307でＮＯの場合）には、ステップ308で２４xにおける最適記録パワーPw_opc[4]が上限値Pw_thを超えていても光学ヘッド１０３のＬＤの最大出力値に到達していなければそのまま２４xでゾーン４に情報の記録をＣＬＶ方式により行わせる。
【００３８】
また、ＣＰＵ１１３は、ステップ305でゾーン４に情報の記録をＣＬＶ方式で行う時の記録速度でサーボチェックを行った結果、レベル１またはレベル２を検出した場合(ステップ307のＹＥＳの場合）には、レベル1を検出した場合（ステップ309）はゾーン４に情報の記録をＣＬＶ方式により２０ｘで行わせ、レベル２を検出した場合（ステップ310）はゾーン４に情報の記録をＣＬＶ方式により１６xで行わせる。
【００３９】
この実施形態２によれば、実施形態１において、最適記録パワーが上限値Ｐw_thを超えて設定された場合に記録速度をそのままとして記録動作を行わせる手段（ＣＰＵ１１３）を備えたので、少なくとも記録速度最適化手段のサーボ信号乱れ検出によって問題なければ、情報記録装置がサポートしている最速記録速度２４xで情報の記録が可能となるためにスペック通りの高速記録を実現でき、ユーザに問題視されることはない。
【００４０】
次に、本発明の実施形態３について説明する。この実施形態３では、上記実施形態２において、図３の動作フローの代りに図４の動作フローを実行する。図４におけるステップ401〜410は図３におけるステップ301〜310と同じである。ステップ411では、ＣＰＵ１１３は、ゾーン４に情報の記録をＣＬＶ方式により２４ｘで行わせている記録中にランニング（Running）ＯＰＣ動作により記録パワーPw_[4]を修正して記録パワーPw_[4]がＬＤの最大出力Pw_Maxに到達した場合（ステップ412）にはステップ413でその内容（記録パワーPw_[4]がＬＤの最大出力値Pw_Maxに到達したこと）をホスト（若しくはライターソフト）に通知する。ホスト（若しくはライターソフト）は、ダイヤログボックスなどによってＣＰＵ１１３から通知された内容をメッセージとして表示してユーザに注意を促す。この場合は、ＣＰＵ１１３は、特開平10−49990号公報記載のデータの連続性を保持させる技術を使用して記録動作を一時中断しておく。
【００４１】
ＣＰＵ１１３は、ステップ414で、上述のように最適化した記録速度をそのまま有効として情報の記録を行うか、最適化した記録速度を無効化し記録品質を優先させて記録速度を減速して情報の記録を行うかを判断し、もし記録速度をそのままとして情報の記録を行う場合には２４xで情報の記録を再開させる。また、ＣＰＵ１１３は、記録品質を優先させて記録速度を減速して情報の記録を行う場合にはステップ415で記録速度を２０x以下に減速して情報の記録を再開させる。
【００４２】
上記ランニングＯＰＣ動作は以下の通りである。
記録状態検出手段としての記録状態検出部１０８は、記録中の光学ヘッド１０３からの再生信号を所定のタイミングでサンプリングし、記録パワーで正規化した値（RF  signal／LD  Power）を記録状態検出値（以下Ｂ値と呼ぶ）とする。この動作では、図8に示すように記録パワー（LD  Power）が高レベルになっているところが記録パルスの発生部分で、この部分の所定のタイミング（図８に○で示すタイミング）で再生信号をサンプリングする。さらに記録パワーレベルによる再生光量レベルの違いをキャンセルするため、再生信号を記録パワーで除算（正規化）する。
【００４３】
この結果、記録状態検出値（Ｂ値）は、記録パワーが不足なら記録マーク（低反射になる）形成が十分でないので高いレベルになり、記録パワーが過大ならマーク形成が過剰になって低いレベルになる。
このＢ値は、記録パワー修正部１０７で所定の目標値（記録状態目標値）と比較される。記録パワー修正部１０７は、その比較結果に応じて記録パワーを修正する。すなわち、記録パワー修正部１０７は、Ｂ値が所定の目標値より小さければ記録パワーが過大であるので記録パワーを下げるように記録パワー指令Ｐwを修正し、逆にＢ値が目標値より大きければ記録パワーが不足しているので記録パワーを上げるように記録パワー指令Ｐwを修正する。
これにより記録パワーは、記録状態が最適になるように制御される。これがランニングＯＰＣ動作である。
【００４４】
この実施形態３によれば、実施形態２において、記録媒体としてのディスク１０２に対する情報の記録中に所定の記録状態目標値とディスク１０２からの再生信号に応じた値（Ｂ値）とを比較し、この比較結果に応じて随時記録パワーを修正する記録パワー修正手段としての記録パワー修正部１０７と、この記録パワー修正部１０７によって記録パワーが光源の最大出力値に到達した場合にユーザに知らせるべく外部のホスト若しくはライターソフトへ通知する手段（ＣＰＵ１１３）とを備えたので、ユーザーはホスト若しくはライターソフトによって記録中に記録パワーがリミットに到達したことを知ることができ、それ以降の記録領域での記録速度、条件を設定し直すことができるため、記録品質を損なわない最大記録速度で記録することが可能となる。
【００４５】
次に、本発明の実施形態４について説明する。この実施形態４では、上記実施形態３において、図４の動作フローの代りに図５の動作フローを実行する。図５におけるステップ501〜504、511〜515は図４におけるステップ401〜404、411〜415と同じである。実施形態４では、上記実施形態３において、記録速度最適化機能が無効に設定されているので、図４のステップ405〜408の動作（記録パワーチェックとサーボチェック）を削除した動作フローを行う点だけが上記実施形態３と違う。
【００４６】
この実施形態４によれば、記録媒体としてのディスク１０２の所定の領域に所定の基本線速度で試し書きを行い、前記基本速度における最適記録パワーを決定する試し書き手段と、ディスク１０２に対する情報の記録中に所定の記録状態目標値とディスク１０２からの再生信号に応じた値とを比較し、この比較結果に応じて随時記録パワーを修正する記録パワー修正手段としての記録パワー修正部１０７と、記録パワーが記録パワー修正部１０７による修正で光源の最大出力値に到達した場合にユーザに知らせるべく外部のホスト若しくはライターソフトへ通知する手段（ＣＰＵ１１３）とを備えたので、ユーザはホスト若しくはライターソフトによって記録パワーがリミットに到達したことを知ることができ、それ以降の記録領域での記録速度、条件を設定し直すことができるため、記録品質を損なわない最大記録速度で記録することが可能となる。
【００４７】
次に、本発明の実施形態５について説明する。この実施形態５では、上記実施形態４において、図６の動作フローに示すように、ＣＰＵ１１３は、記録パワーPw_[4]が光学ヘッド１０３のＬＤの最大出力Pw_Maxに到達した後もステップ512の後でディスク１０２に対する記録を２４xで開始させ、ステップ601にてゾーン４にＣＬＶ方式にて記録パワーPw_Maxで所定時間、所定の記録部（マーク）と未記録部（スペース）とからなるパターンの記録を行わせる。そして、ＣＰＵ１１３は、ステップ602で特開平10−49990号公報記載のデータの連続性を保持させる技術を使用して情報の記録を中断させ、ステップ603にてディスク１０２上のPw_Maxで上記パターンを記録したエリア部からパターンを再生させる。
【００４８】
ステップ604では、再生信号評価部１０９が光学ヘッド１０３よりの再生信号から評価尺度値Ｂetaを求める。記録パワー修正手段である記録条件設定部１１０は、ステップ605でＢetaと所定の目標値ＢetaTとを比較してその比較結果に所定の係数Ｌを乗じた分だけ、ゾーン４の初期設定の記録パルス幅TH_[4]を
TH_[4]＝TH_[4]＋Ｌ＊（ＢetaT−Ｂeta）
なる演算で修正する。具体的には、記録条件設定部１１０は、ＢetaがＢetaTより小さいなら記録パルス幅TH_[4]を増加させるように修正する。ステップ606では、記録条件設定部１１０は、記録パワーPw_MaxでのＢetaにより修正された記録パルス幅TH_[4]をゾーン4の記録パルス幅とする。しかる後、情報の記録が再開される。
このように、記録パワーPw_Maxで記録したところの再生信号を再生信号評価部１０９で評価して記録条件設定部１１０により次の記録エリアの記録パルス幅を修正する。
【００４９】
この実施形態５によれば、実施形態４において、記録パワーが記録パワー修正手段としての記録パワー修正部１０７によって光源の最大出力値Pw_Maxに修正されて記録媒体であるディスク１０２に記録された記録済み部からの再生信号を評価する再生信号評価手段としての再生信号評価部１０９と、この再生信号評価部１０９の評価結果に基づいてその後のディスクの記録領域の記録条件を修正する記録条件修正手段としての記録条件設定部１１０とを備えたので、記録条件が最適でなくなってしまった場合でも、記録条件を修正して良好な記録品質を得ることができる。しかも、記録済み部からの再生信号に基づいて記録条件を修正するので、修正精度が高い。
【００５０】
【発明の効果】
以上のように本発明によれば、ユーザは予め記録前に記録速度の最適化の内容を具体的に知ることができ、その結果、ユーザの設定した記録速度と実際の記録速度が異なるケースが発生してもユーザは情報記録装置に不具合が発生した等の混乱を起さないで済み、しかも、ユーザはユーザマニュアル等からその時考えられる問題点や対応方法等の詳細を知ることができる。
【００５１】
また、少なくとも記録速度最適化手段のサーボ信号乱れ検出によって問題なければ、情報記録装置がサポートしている最速記録速度で情報の記録が可能となるためにスペック通りの高速記録を実現でき、ユーザに問題視されることはない。また、ユーザーは記録中に記録パワーがリミットに到達したことを知ることができ、それ以降の記録領域での記録速度、条件を設定し直すことができるため、記録品質を損なわない最大記録速度で記録することが可能となる。
【００５２】
さらに、記録条件が最適でなくなってしまった場合でも、記録条件を修正して良好な記録品質を得ることができる。しかも、記録済み部からの再生信号に基づいて記録条件を修正するので、修正精度が高い。
【図面の簡単な説明】
【図１】本発明の実施形態１を示すブロック図である。
【図２】同実施形態１の動作フローを示すフローチャートである。
【図３】同実施形態２の動作フローを示すフローチャートである。
【図４】同実施形態３の動作フローを示すフローチャートである。
【図５】同実施形態４の動作フローを示すフローチャートである。
【図６】同実施形態５の動作フローを示すフローチャートである。
【図７】上記実施形態１においてディスクに記載されているアドレス、ゾーン(zone)１〜４及び記録速度の関係を示す図である。
【図８】再生信号をサンプリングして記録パワーで正規化した値（RF  signal／LD  Power）と記録パワー（LD  Power」を示す図である。
【図９】記録パワーに応じた再生信号状態を示す図である。
【符号の説明】
１０１      モータ
１０２      ディスク
１０３      光学ヘッド
１０４      ＬＤドライバ
１０５      試し書き部
１０６      記録パワー設定部
１０７      記録パワー修正部
１０８      記録状態検出部
１０９      再生信号評価部
１１０      記録条件設定部
１１１      回転制御部
１１２      サーボ部
１１３      ＣＰＵ
【図１】
0003947020.tif 000002
【図２】
0003947020.tif 000003
【図３】
0003947020.tif 000004
【図４】
0003947020.tif 000005
【図５】
0003947020.tif 000006
【図６】
0003947020.tif 000007
【図７】
0003947020.tif 000008
【図８】
0003947020.tif 000009
【図９】
0003947020.tif 000010